(57)【特許請求の範囲】
【請求項１】
カートリッジに収容された光ディスクを光ディスク回転駆動用スピンドルアセンブリに装着する光ディスク装置の光ディスクローディング機構において、
第１端部で装置フレームに回動可能に支持された第１ベースと、
該第１ベース上に案内手段を介して光ディスクの半径方向に移動可能に搭載された対物レンズを有する光ヘッドと、
該光ヘッドを光ディスクの半径方向に移動する第１駆動手段と、
上下方向に移動可能に設けられた、前記スピンドルアセンブリをその上に搭載する第２ベースと、
前記第２ベースを上下に移動する第２駆動手段と、
前記第１ベースの前記第１端部と反対側の第２端部を前記第２ベースの一端部に回動可能に連結する継手手段とを具備し、
光ディスクカートリッジの装置への挿入前には、第２駆動手段により前記第２ベースを下降させて前記スピンドルアセンブリを下方に退避させるとともに、前記継手手段を介して前記第１ベースを傾斜させて前記光ヘッドを同時に下方に退避させた状態とし、
光ディスクカートリッジの装置への挿入が完了すると、第２駆動手段により前記第２ベースを上昇させて光ディスクを前記スピンドルアセンブリに装着するとともに、前記継手手段を介して前記第１ベースを上昇させて前記光ヘッドを光ディスク記録面に光を集光させる使用状態位置に復帰させることを特徴とする光ディスク装置の光ディスクローディング機構。
【請求項２】
前記継手手段は前記第１ベースの前記第２端部に形成されたＶ溝と、前記第２ベースの前記一端部に固定され前記Ｖ溝中に部分的に嵌まり込むシャフトと、前記シャフトが挿入されるくさび状長穴を有し、前記第１ベースに固定されたブラケットとから構成される請求項１記載の光ディスク装置の光ディスクローディング機構。
【請求項３】
前記第２駆動手段はモータと、該モータの出力軸に固定されたピニオンと、該ピニオンと噛み合うように前記第２ベースに固定されたラックとから構成される請求項１記載の光ディスク装置の光ディスクローディング機構。
【請求項４】
カートリッジに収容された光ディスクを光ディスク回転駆動用スピンドルアセンブリに装着する光ディスク装置の光ディスクローディング機構において、
第１端部で装置フレームに回動可能に支持された、前記スピンドルアセンブリをその上に搭載するベースと、
該ベース上に案内手段を介して光ディスクの半径方向に移動可能に搭載された対物レンズを有する光ヘッドと、
該光ヘッドを光ディスクの半径方向に移動する駆動手段と、
光ディスクカートリッジの装置への挿入完了に応じて、前記ベースの前記第１端部と反対側の第２端部を上昇させ、光ディスクカートリッジの装置からの抜き出しに応じて前記ベースの前記第２端部を下降させる、前記ベースの第２端部に作動的に連結されたカートリッジ挿抜連動手段とを具備し、
前記カートリッジ挿抜連動手段は、一端にイジェクトボタンを有し前記ベースに平行に移動可能なスライド部材と、該スライド部材の移動に応じて前記ベースの前記第２端部を上下動させるリンク機構とを備え、
カートリッジ排出時には、前記イジェクトボタンを押し込むことにより前記リンク機構を介して前記ベースの前記第２端部を下降させることを特徴とする光ディスク装置の光ディスクローディング機構。
【請求項５】
前記リンク機構は、前記スライド部材に一体的に形成されたラックと、該ラックに噛み合うピニオンと、該ピニオンに噛み合う内径部にネジ穴の形成されたギヤと、該ネジ穴に螺合し前記ベースの前記第２端部を支持する移動ボルトと、該移動ボルトの回転を阻止する回転阻止手段とから構成される請求項４記載の光ディスク装置の光ディスクローディング機構。
【請求項６】
前記スピンドルアセンブリはスピンドルモータと、該スピンドルモータの出力軸に固定されたターンテーブルと、該ターンテーブルに一体的に立設されたセンタピンと、該ターンテーブルに設けられた光ディスクをターンテーブルに吸着する吸着手段とから構成される請求項１〜５のいずれかに記載の光ディスク装置の光ディスクローディング機構。
【発明の詳細な説明】
【０００１】
【産業上の利用分野】
本発明は光ディスク装置の光ディスクローディング機構に関する。尚本明細書で使用する光ディスク装置は光磁気ディスク装置も含むものとする。
【０００２】
光ディスクは近年急速に発展するマルチメディア化の中で中核となるメモリ媒体として脚光を浴びており、通常カートリッジの中に収容された状態で使用される。光ディスクカートリッジが光ディスク装置内にローディングされ、光ディスクへのデータのライト／リードが行われる。
【０００３】
最近の光ディスク装置では、光ヘッドの対物レンズと光ディスクとの間の距離が非常に小さくなってきており、光ディスクカートリッジを装置内に挿入するに際して、カートリッジとの干渉を避けるために光ヘッドを退避させる必要がある。
【０００４】
【従来の技術】
図４は従来の光ディスクローディング機構の一例を示す断面図である。この従来例では、光ディスク６を収容したカートリッジ４を光ディスク装置２内に収容してから矢印方向に落とし込むことによって、光ディスク６をスピンドルアセンブリ８に装着していた。
【０００５】
スピンドルアセンブリ８は装置２に固定されたスピンドルモータ１０と、スピンドルモータ１０により回転されるセンタピン１３を有するターンテーブル１２とから構成され、光ディスク６の中心穴がセンタピン１３に嵌合されることにより光ディスク６が芯出しされる。
【０００６】
この従来例では、光ディスクカートリッジ４は図５のＹ方向に光ディスク装置２内に挿入され、装置内に挿入されると同時にシャッタ５が図５に示すように開いて窓７が開口されて光ディスク６が露出される。この窓７部分で光ディスク６がスピンドルアセンブリ８のターンテーブル１２上に搭載される。
【０００７】
このように光ディスクカートリッジを装置内に挿入してから落とし込むという方式の光ディスクローディング機構では、装置内に光ディスクカートリッジ収容スペースとカートリッジを落とし込むためのスペースを確保する必要があるため、装置小型化の観点から問題があるものであった。
【０００８】
この問題を解決する方法として、光ディスクカートリッジを落とし込む代わりにスピンドルアセンブリを上下させるという方式の光ディスクローディング機構が提案されている。この方式では光ディスクカートリッジは装置に挿入されるだけで、カートリッジの落とし込みは行われない。
【０００９】
この方式の光ディスクローディング機構を図６を用いて説明する。このローディング機構では、図６（Ａ）に示すように光ディスクカートリッジ４を装置２′内に挿入するときには、カートリッジ４を挿入するときの邪魔にならないようにスピンドルアセンブリ８を下方に退避しておく。
【００１０】
スピンドルアセンブリ８は上述した従来例と同様に、スピンドルモータ１０と、このスピンドルモータ１０により回転されるセンタピン１３を有するターンテーブル１２とから構成される。
【００１１】
光ディスクカートリッジ４の装置２′内への挿入が完了した後、図６（Ｂ）に示すようにスピンドルアセンブリ８全体が上昇してターンテーブル１２上に光ディスク６を装着する。
【００１２】
この方式ではスピンドルアセンブリが移動するスペースだけを装置内に確保すればよく、このスペースは光ディスクカートリッジを落とし込むのに必要なスペースと比較してはるかに小さくて済むため、装置の小型化に適している。
【００１３】
【発明が解決しようとする課題】
しかしながらこの方式では、装置内に挿入された光ディスクカートリッジが上下方向に移動せずにその位置でスピンドルアセンブリに装着されるため、カートリッジ挿入時に光ディスクが光ヘッドの対物レンズと接触する可能性がある。
【００１４】
特に図５に示すようなカートリッジ４の挿入方向Ｙと直角な方向に記録／再生用の窓７が開く形式のカートリッジにおいては、図７（Ａ）に示すカートリッジ表面４ａと光ディスク表面６ａとの間の距離ｄが図７（Ｂ）に示す光ヘッドの対物レンズ１４と光ディスク６との間の距離（対物レンズの作動距離）ＷＤ  よりも大きな場合は、カートリッジの装置内への挿入に伴い対物レンズ１４とカートリッジ４とは衝突する。
【００１５】
この衝突を避けるために、光ヘッドの退避機構が種々提案されているが、いずれの機構もカートリッジ挿入時に光ヘッドを横方向に退避させておき、カートリッジ挿入後に光ヘッドを作動位置に復帰させるものである。
【００１６】
このためこれらの従来技術では、スピンドルアセンブリの上下方向への移動機構に加えて、光ヘッドの横方向への退避機構を設けなければならず、装置構成が複雑になるという問題があった。
【００１７】
退避機構を簡略化するために、対物レンズの焦点制御機構を利用して対物レンズを退避させることが考えられる。しかしながら、焦点制御機構の移動範囲は光ディスクの面ぶれをカバーする程度で余り大きいものではない。
【００１８】
従って、この焦点制御機構による対物レンズの移動だけでは、光ディスクカートリッジ挿入時の対物レンズの退避としては不十分である。
本発明はこのような点に鑑みてなされたものであり、その目的とするところは、光ディスクの装置内への挿入に際してスピンドルアセンブリと同時に光ヘッドも退避させることが可能な光ディスクローディング機構を提供することである。
【００１９】
【課題を解決するための手段】
本発明の第１の構成によると、カートリッジに収容された光ディスクを光ディスク回転駆動用スピンドルアセンブリに装着する光ディスク装置の光ディスクローディング機構において、第１端部で装置フレームに回動可能に支持された第１ベースと、該第１ベース上に案内手段を介して光ディスクの半径方向に移動可能に搭載された対物レンズを有する光ヘッドと、該光ヘッドを光ディスクの半径方向に移動する第１駆動手段とと、上下方向に移動可能に設けられた、前記スピンドルアセンブリをその上に搭載する第２ベースと、前記第２ベースを上下に移動する第２駆動手段と、前記第１ベースの前記第１端部と反対側の第２端部を前記第２ベースの一端部に回動可能に連結する継手手段とを具備し、光ディスクカートリッジの装置への挿入前には、第２駆動手段により前記第２ベースを下降させて前記スピンドルアセンブリを下方に退避させるとともに、前記継手手段を介して前記第１ベースを傾斜させて前記光ヘッドを同時に下方に退避させ、光ディスクカートリッジの装置への挿入が完了すると、第２駆動手段により前記第２ベースを上昇させて光ディスクを前記スピンドルアセンブリに装着するとともに、前記継手手段を介して前記第１ベースを上昇させて前記光ヘッドを光ディスク記録面に光を集光させる使用状態位置に復帰させることを特徴とする光ディスク装置の光ディスクローディング機構が提供される。
【００２０】
本発明の第２の構成によると、カートリッジに収容された光ディスクを光ディスク回転駆動用スピンドルアセンブリに装着する光ディスク装置の光ディスクローディング機構において、第１端部で装置フレームに回動可能に支持された、前記スピンドルアセンブリをその上に搭載するベースと、該ベース上に案内手段を介して光ディスクの半径方向に移動可能に搭載された対物レンズを有する光ヘッドと、該光ヘッドを光ディスクの半径方向に移動する駆動手段と、光ディスクカートリッジの装置への挿入完了に応じて、前記ベースの前記第１端部と反対側の第２端部を上昇させ、光ディスクカートリッジの装置からの抜き出しに応じて前記ベースの前記第２端部を下降させる、前記ベースの第２端部に作動的に連結されたカートリッジ挿抜連動手段とを具備し、前記カートリッジ挿抜連動手段は、一端にイジェクトボタンを有し前記ベースに平行に移動可能なスライド部材と、該スライド部材の移動に応じて前記ベースの前記第２端部を上下動かさせるリンク機構とを備え、カートリッジ排出時には、前記イジェクトボタンを押し込むことにより前記リンク機構を介して前記ベースの前記第２端部を下降させることを特徴とする光ディスク装置の光ディスクローディング機構が提供される。
【００２１】
【作用】
第１の構成によると、光ディスクカートリッジの装置への挿入前には、第２駆動手段を駆動して第２ベースを下降させる。これによりスピンドルアセンブリを下方に退避させることができるとともに、継手手段を介して第１ベースを傾斜させ、光ヘッドも同時に下方に退避させることができる。
【００２２】
光ディスクカートリッジの装置への挿入が完了すると、第２駆動手段を駆動して第２ベースを上昇させ、光ディスクをスピンドルアセンブリに装着する。
これと同時に、継手手段を介して第１ベースを上昇させ、光ヘッドを光ディスク記録面に光を集光させる使用状態位置に復帰させる。
【００２３】
本発明の第２の構成によると、スピンドルアセンブリと光ヘッドとは同一のベース上に搭載されている。カートリッジを装置内からイジェクトすると、カートリッジ挿抜連動手段によりベースの第２端部が下降する。これによりベースを傾斜させ、スピンドルアセンブリと光ヘッドとを同時に下方に退避させる。
【００２４】
この状態で光ディスクカートリッジを装置内に挿入しても、光ディスクカートリッジにスピンドルアセンブリ及び光ヘッドが干渉することはなく、光ディスクカートリッジを所定位置まで挿入することができる。
【００２５】
光ディスクカートリッジの装置内への挿入が完了すると、カートリッジ挿抜連動手段が作動してベースの第２端部を所定量上昇させる。
これにより、光ディスクをスピンドルアセンブリに装着すると同時に、光ヘッドを光ディスク記録面に光を集光させる使用状態位置に復帰させることができる。
【００２６】
【実施例】
以下、本発明の実施例を図面を参照して詳細に説明する。
まず図１を参照すると、本発明第１実施例の斜視図が示されている。図１では、スピンドルアセンブリ及び光ヘッド等は使用状態における配置で示されている。
【００２７】
装置フレーム２０に立設された一対のブラケット２２ａ，２２ｂにシャフト２４が固定されている。このシャフト２４に第１ベース２６の一端部に形成されたＶ溝２６ａが係合している。
【００２８】
第１ベース２６上には４つのブラケット２８が立設されており、これらのブラケット２８に互いに平行な一対のガイドレール３０ａ，３０ｂが取り付けられている。
【００２９】
これらのガイドレール３０ａ，３０ｂにわたりブロック３２が摺動可能に取り付けられており、ブロック３２上には対物レンズ３６を有する光ヘッド３４が搭載されている。
【００３０】
第１ベース２６上にはモータ３８が固定されており、このモータ３８の出力軸はブロック３２に螺合するボールネジ４０に連結されている。この構成により、モータ３８を回転すると光ヘッド３４が装置内に挿入された光ディスクの半径方向に移動する。
【００３１】
４２は第２ベースであり、装置フレーム２０上に立設されたガイドピン４４，４６に案内されて上下方向に移動する。第２ベース４２は継手手段４８を介して第１ベース２６の他端部に回動可能に連結されている。
【００３２】
継手手段４８は第１ベース２６の他端部に形成されたＶ溝２６ｂと、第２ベース４２の一端部に固定されＶ溝２６ｂ内に部分的に嵌合されたシャフト５０と、シャフト５０が挿入されたくさび状長穴５２ａを有し第１ベース２６の側面に固定された規制部材５２とから構成される。
【００３３】
図１に示した光ディスク装置使用状態で、シャフト２４が第１ベース２６のＶ溝２６ａに圧接し、シャフト５０がＶ溝２６ｂに圧接するような寸法関係で装置が組み立てられている。
【００３４】
このため、各シャフト２４，５０とＶ溝２６ａ，２６ｂ間に応力が発生してベース支持剛性が高まるため、モータ３８を駆動して光ヘッド３４を高速で移動しても第１ベース２６及び第２ベース４２が振動したりすることはない。
【００３５】
第２ベース４２上にはスピンドルアセンブリ５４が搭載されている。スピンドルアセンブリ５４は第２ベース４２上に固定されたスピンドルモータ５６と、スピンドルモータ５６の出力軸に固定されたターンテーブル５８とから構成される。
【００３６】
ターンテーブル５８は光ディスクの中心穴に嵌合されるセンタピン６０を有しており、ターンテーブル５８の内周側には光ディスクを吸着する環状永久磁石６２が設けられている。
【００３７】
第２ベース４２のシャフト５０が取り付けられたのと反対側の側面にはラック６４が固定されている。ラック６４にはモータ６６の出力軸６８に固定されたピニオン７０が噛み合っており、モータ６６を駆動することにより第２ベース４２がガイドピン４４，４６に案内されて上下方向に移動される。
【００３８】
本実施例では、図１の矢印Ｘ方向から図５に示すような光ディスクカートリッジ４が挿入される。即ち、光ディスクカートリッジ４の挿入方向は図５で窓７を先頭にしたＸ方向である。
【００３９】
光ディスクカートリッジ４を装置内に挿入するのと同時にＷｉ  部に光ディスクカートリッジ４の記録／再生用の窓７が開口する。光ディスクカートリッジ４の挿入方向は、図１及び図５の矢印Ｙ方向であってもよい。
【００４０】
図２を参照すると、光ディスクカートリッジが装置に装着されていない状態の、即ち退避時の図１のＡ−Ａ線断面図が示されている。図１の状態からモータ６６を駆動すると、ピニオン７０及びラック６４を介して第２ベース４２が下降し、スピンドルアセンブリ５４が退避位置となる。
【００４１】
第２ベース４２の下降に伴い、第１及び第２ベース２６，４２は継手手段４８を介して回動可能に連結されているので、第１ベース２６の第２ベース４２側も下降する。
【００４２】
従って、第１ベース２６はシャフト２４回りに時計回り方向に回転して傾斜する。この結果、光ヘッド３４の対物レンズ３６も下降し、光ディスクカートリッジが装置内に挿入されてもこれと衝突することが防止される。
【００４３】
図２の退避状態では、シャフト５０とＶ溝２６ｂとの接触は断たれるが、シャフト５０は規制部材５２のくさび状長穴５２ａに圧接する。
このため、シャフト５０と規制部材５２との間に応力が働くようになり、図２に示した退避状態でも第１ベース２６の支持剛性は低下しない。この結果、第１及び第２ベース２６，４２は装置の加振に対しても振動することがなく、装置運搬時に光ヘッド等が損傷することが防止される。
【００４４】
図２に示した退避状態のときに、光ディスクカートリッジを装置内に挿入する。スピンドルアセンブリ５４及び光ヘッド３４とも下方に退避しているため、スピンドルアセンブリ５４及び光ヘッド３４の対物レンズ３６に衝突することなく、光ディスクカートリッジを所定位置まで挿入することができる。
【００４５】
光ディスクカートリッジの装置への挿入が完了すると、モータ６６を駆動して第２ベース４２を所定位置まで上昇させる。これにより、スピンドルアセンブリ５４のセンタピン６０が光ディスク６の中心穴に嵌合され、光ディスク６は永久磁石６２の磁力によってターンテーブル５８に吸着される。
【００４６】
第２ベース４２が所定位置まで上昇されると、第１ベース２６はシャフト２４回りに反時計回り方向に回転して水平位置となり、光ヘッド３４を光ディスクの記録面に光を集光させる使用状態位置に復帰させる。
【００４７】
上述した第１実施例では、第２ベース４２の上下方向の移動をモータ６６を駆動源として行っている。しかし、装置の小型化及び消費電力低減の観点から、このようなモータを使うことは望ましくない。
【００４８】
このような特別な駆動源を必要としない本発明の第２実施例を図３を参照して説明する。本実施例の説明において、図１に示した第１実施例と実質的に同一構成部分については同一符号を付して説明する。
【００４９】
本実施例では、光ヘッド３４及びスピンドルアセンブリ５４が同一のベース７６上に搭載されている。装置フレーム２０には一対のブラケット７２ａ，７２ｂが立設されており、これらのブラケット７２ａ，７２ｂにシャフト７４が固定されている。
【００５０】
ベース７６の一端部に形成されたＶ溝７６ａがシャフト７４に係合し、ベース７６はシャフト７４回りに回動可能に取り付けられている。
ベース７６上には４個のブラケット２８が立設されており、これらのブラケット２８にわたり互いに平行な一対のガイドレール３０ａ，３０ｂが取り付けられている。
【００５１】
ガイドレール３０ａ，３０ｂにはブロック３２が摺動可能に取り付けられており、ブロック３２上には対物レンズ３６を有する光ヘッド３４が搭載されている。
【００５２】
ベース７６に固定されたモータ３８の出力軸にはブロック３２に螺合するボールネジ４０が連結されており、モータ３８を駆動することにより光ヘッド３４が光ディスクの半径方向に移動する。
【００５３】
ベース７６上に搭載されたスピンドルアセンブリ５４はスピンドルモータ５６と、スピンドルモータ５６の出力軸に固定されたセンタピン６０を有するターンテーブル５８とから構成される。
【００５４】
７８はイジェクトボタン８０が一体的に形成されたスライド部材であり、その先端は折り曲げられてロック部７８ａが形成されている。スライド部材７８のロック部７８ａとブラケット８２にわたりローディングバネ８４が設けられている。
【００５５】
８６はブラケット８８に回動可能に取り付けられた回動部材であり、フック８６ａとカートリッジ挿入検出部８６ｂが一体的に形成されている。回動部材８６は回動部材とブラケット９０との間に設けられたリターンバネ９２により、図で時計回り方向に付勢されている。
【００５６】
スライド部材７８と一体的にラック９４が形成されており、このラック９４はスライド部材７８がある一定量装置内に挿入されるとピニオン９６に噛み合うようになっている。
【００５７】
ピニオン９６は内径部にネジ穴の切られたギヤ９８と噛み合っており、ギヤ９８のネジ穴には移動ボルト１００が螺合している。移動ボルト１００はベース７６の下面に当接しており、移動ボルト１００の先端１００ａはベース７６の上面側に突出している。
【００５８】
移動ボルト１００は装置フレーム２０に固定された規制部材１０２によりその回転が阻止されており、ギヤ９８は規制部材１０２によりその軸方向の移動が規制されている。
【００５９】
移動ボルト１００が設けられたのと反対側のカートリッジ挿入側のベース７６のコーナー部にはピン１０４が貫通して設けられており、リテイナ１０６とベース７６との間にバネ１０８が介装されている。１１０はベース７６の上昇位置を決定するストッパである。
【００６０】
以下、上述のように構成された第２実施例の動作について説明する。装置内に挿入されている光ディスクカートリッジをイジェクトしたい場合には、イジェクトボタン８０を押し込む。
【００６１】
イジェクトボタン８０を押し込むと、スライド部材７８が押し込み方向にスライドし、スライド部材７８がある一定量挿入されるとラック９４がピニオン９６に噛み合い、スライド部材７８をさらに押し込むことによりピニオン９６は図示矢印方向に回転する。
【００６２】
ピニオン９６の回転に応じてギヤ９８も矢印方向に回転し、ギヤ９８の回転につれて、移動ボルト１００が規制部材１０２によりその回転を禁止されているため、移動ボルト１００が下方に移動する。
【００６３】
これにより、ベース７６がシャフト７４回りに回転して傾斜し、スピンドルアセンブリ５４及び光ヘッド３４が退避位置となる。
イジェクトボタン８０を十分に押し込むと、回動部材８６のフック８６ａがスライド部材７８のロック部７８ａに係合し、スライド部材７８を押し込み位置でロックする。
【００６４】
回動部材８６のフック８６ａがスライド部材７８のロック部７８ａに係合するとき、フック８６ａの先端が瞬間的に下方に落ち込むため、回動部材８６が時計回り方向にわずかばかり回動し、光ディスクカートリッジがカートリッジ挿入検出部８６ｂによりわずかばかり押し出される（イジェクトされる）。
【００６５】
この状態では、スピンドルアセンブリ５４及び光ヘッド３４とも下方に退避しているため、新たな光ディスクカートリッジを装置内に挿入しても、光ディスクカートリッジがスピンドルアセンブリ５４及び光ヘッド３４の対物レンズ３６に衝突することが防止される。
【００６６】
光ディスクカートリッジをＸ方向に十分挿入すると、光ディスクカートリッジがカートリッジ挿入検出部８６ｂを押し、カートリッジの挿入完了が検出される。これと同時に回動部材８６がリターンバネ９２の付勢力に抗して反時計回り方向に回動し、フック８６ａがスライド部材７８のロック部７８ａから外れる。
【００６７】
この結果、ローディングバネ８４によりスライド部材７８は引き出し方向に引っ張られ、ラック９４がピニオン９６を図示矢印と反対方向に回転する。
ピニオン９６はギヤ９８を図示矢印と反対方向に回転し、移動ボルト１００が上昇してベース７６をストッパ１１０に当接するまで押し上げる。この位置でスピンドルアセンブリ５４及び光ヘッド３４は使用状態位置に復帰し、スピンドルアセンブリ５４のセンタピン６０が挿入された光ディスクの中心穴に嵌合する。
【００６８】
以上の説明から明らかなように、本実施例では、カートリッジを装置に挿抜するときの力を利用してベースを上下動させているため、ベース７６を上下動するための駆動源を何ら設ける必要がなく、低消費電力及び装置の小型化を実現できる。
【００６９】
【発明の効果】
本発明は以上詳述したように構成したので、最小のスペースで、光ディスクの装置内への挿入に際してスピンドルアセンブリと光ヘッドを簡単な機構で同時に退避させることができるため、光ディスク装置の小型化に寄与できるという効果を奏する。
【図面の簡単な説明】
【図１】使用状態にある本発明第１実施例の斜視図である。
【図２】退避状態の図１のＡ−Ａ線断面図である。
【図３】本発明第２実施例の斜視図である。
【図４】従来例断面図である。
【図５】光ディスクカートリッジの斜視図である。
【図６】他の従来例断面図である。
【図７】カートリッジ寸法と対物レンズの作動距離との関係を説明する図である。
【符号の説明】
４  光ディスクカートリッジ
６  光ディスク
２６  第１ベース
３４  光ヘッド
３６  対物レンズ
４２  第２ベース
４８  継手手段
５４  スピンドルアセンブリ
６０  センタピン
７６  ベース
７８  スライド部材
８０  イジェクトボタン
８６  回動部材
８６ａ  フック
８６ｂ  カートリッジ挿入検出部
１００  移動ボルト
【図１】
0003543982.tif 000002
【図２】
0003543982.tif 000003
【図３】
0003543982.tif 000004
【図４】
0003543982.tif 000005
【図５】
0003543982.tif 000006
【図６】
0003543982.tif 000007
【図７】
0003543982.tif 000008